(57)【要約】    【課題】輸出入用貨物を安全に梱包して内容物の損傷を軽減し、美麗さに優れた紙製の梱包用箱体を提供する。      【解決手段】本発明の梱包用箱体は、クラフト紙及び／又は段ボール等からなる紙類を積層してなる紙製の基材を折り曲げてから、最終的に重なり合う角部を工業用のミシンで３００Ｄ／３〜５００Ｄ／３の太い合成繊維縫い糸４で５０〜８０縫い目／ｍの縫い目の数で１〜２列に裁縫してなる。【選択図】図３
2005047610.tif 000002
【特許請求の範囲】
【請求項１】
紙製の梱包用箱体において、
クラフト紙及び／又は段ボール等からなる紙類を積層してなる紙製の基材を折り曲げてから、最終的に重なり合う角部を工業用のミシンで３００Ｄ／３〜５００Ｄ／３の太い合成繊維縫い糸４で５０〜８０縫い目／ｍの縫い目の数で１〜２列に裁縫してなることを特徴とする梱包用箱体。
【請求項２】
合成繊維縫い糸４は、ナイロン（ポリアミド）、ポリエステル、又はポリプロピレンより選ばれた何れか１種を使用することを特徴とする請求項１に記載の梱包用箱体。
【請求項３】
縫い糸４は、一方の端を引っ張ると解けられるように裁縫し、綻ばし易いように綻ばし部の表示を行なっていることを特徴とする請求項１に記載の梱包用箱体。
【請求項４】
箱体１内への空気や湿気の通気を防止するために、合成樹脂の接着剤を塗布した後、接着剤が硬化する前に縫うことで縫い目を封じ止めることを特徴とする請求項１に記載の梱包用箱体。
【発明の詳細な説明】
【技術分野】
【０００１】
本発明は、梱包用箱体に関し、より詳しくは、輸出入用貨物を安全に梱包して内容物の損傷を軽減し、美麗さに優れた紙製の梱包用箱体に関する。
【背景技術】
【０００２】
従来の貨物梱包用箱体は、図１及び図２に示すように、箱体を製造する時、箱体が展開しないようにする仕上げ工程で、最終的に重なり合う部位をステイプラーによるスティプルで留めて仕上げるか、或いは、図２に示すように、接着剤で接着することで製造していた。
【０００３】
前記のような従来の技術における前者の場合は、手間がかからなく、且つ製品が堅固であるという長所はあるものの、箱体１の角部に留められたスティプル２に大気中の湿気及び塩分を含有する海洋性湿気により錆びが発生し、見かけ上望ましくないのみならず、錆びで周囲の物品が汚染される恐れもあり、しかもスティプル２が金属製であるため、周囲の物品や貨物を傷付けたりして商品の価値を低下する原因にもつながり、後者の場合は、手間がかからないという長所はある反面、箱体１が堅固でないという短所があり、特に、温・湿度の変化が激しい冷凍や冷蔵用箱体として使用される時は、接着剤層３の接着剤が硬化することで接着部位が剥離し易くなり、その結果、箱体１が展開して内容物が散らばることがあるという問題点があった。
【０００４】
また、内容物が軽いかまたは搬送後に開封する必要がないものは別に問題はないが、内容物が大型であるかまたは重くて取出口を開けて取り出し難い場合は、刃物で箱体の封止部位を開封して取り出すが、この際、刃物により内容物に損傷を与えたりすることもあり、特に、スティプル２に刃物が引っ掛かり、下手すれば人体にまで損傷を与えることもあった。
【０００５】
一方、特殊な目的のためには、金属製箱体や、合成樹脂（プラスチック）製箱体を用いることもあるが、これは、液状や粉状の内容物を入れるための容器であって、梱包用箱体とは見なし難いものである。
【発明の開示】
【発明が解決しようとする課題】
【０００６】
本発明は、前記のような従来の技術の諸問題点を解決するためになされたものであって、その目的は、箱体１が堅固で且つ美麗さに優れ、温・湿度の変化が激しい冷凍及び冷蔵用として使用しても箱体が展開しないため、内容物が散らばる恐れもなく、金属製のスティプル２をも使用しないため、錆びによる物品の損傷及び美麗さの低下、スクラッチによる商品の価値の低下をもたらさない梱包用箱体を提供することである。
【課題を解決するための手段】
【０００７】
前記目的を達成するための本発明は、梱包用箱体１であって、クラフト紙及び／又は段ボール等からなる紙類を積層してなる紙製の基材を折り曲げてから、最終的に重なり合う角部を工業用のミシンで３００Ｄ／３〜５００Ｄ／３の太い合成繊維縫い糸４で５０〜８０縫い目／ｍの縫い目の数で１〜２列に裁縫することで所望する梱包用箱体を得ることを特徴とする。
【０００８】
前記糸の太さが３００Ｄ／３以下であると、糸が細すぎるため、強い張力によりクラフト紙や段ボール等が破ける恐れ、及び裁縫時に糸切れ現象が生じ得たり、また、５００Ｄ／３以上に太いと、それに伴い太い針が必要となり、その結果、箱体１の縫い目５が大きくなりすぎて、箱体１の内部に多くの空気や湿気が入り込むことで内容物が損傷する恐れもあり、更に、細い針に太い糸を使用する場合は、小さい針穴を太い糸が通り抜け難いという短所があるため、好ましくない。また、縫い目の数が５０縫い目／ｍより少ないと、縫い目の間隔が広すぎるようになるため、箱体が堅固に保持されない恐れがあり、８０縫い目／ｍより多いと、縫い目の間隔が狭すぎるようになるため、堅固に保持されるどころか、却ってクラフト紙や段ボール等が破ける恐れさえあり、不要に糸と裁縫時間が所要されてしまうのである。
【０００９】
また、体積が小さくて軽量の場合や箱体の解体が不要である場合は、縫い糸４が解けないように裁縫すれば良く、冷蔵庫や重い機械類のように搬送後に開封して中身を取り出し難い場合は、従来の肥料包袋のように一方の端の糸を引っ張ると解けられるように裁縫し、引っ張るための糸がはためかないように合成樹脂で糸の端を箱体に付着させるか、綻ばし部の表示のためのステッカー等で引っ張り用の糸を付着しておくと、内容物に損傷を与えることなく安全に且つ便利に箱体を開封することができるのである。
【００１０】
一方、前述したように、箱体１内への空気や湿気の通気を防止するためには、従来の技術で用いる接着剤を塗布した後、接着剤が硬化する前に縫うと、接着剤が縫い糸４に付着して裁縫されるため縫い目が詰まるようになり、その結果、密封状態の箱体１が得られ、合成繊維の縫い糸の種類としては、ナイロン（ポリアミド）、ポリエステル、又はポリプロピレンより選ばれた何れか１種を使用することができる。
【発明の効果】
【００１１】
本発明の梱包用箱体は、製造が容易であり、箱体が堅固で且つ美麗さに優れ、温・湿度の変化が激しい冷凍及び冷蔵用として使用しても箱体が展開しないため、内容物が散らばる恐れもなく、金属製のスティプル２をも使用しないため、錆びによる物品の損傷及び美麗さの低下、スクラッチによる商品の価値の低下をもたらさないという効果を奏し、更には、本発明を輸出入用貨物の梱包に用いると、その内容物を梱包して遠くまで安全に且つ損傷を与えることなく目的地まで搬送することができるという優れた効果を奏する。
【発明を実施するための最良の形態】
【００１２】
〈実施例１〉
クラフト紙と段ボールを積層して厚さ２０ｍｍにした紙製の基材を折り曲げて梱包用箱体を製造する時、最終の角部の接合部を４５０Ｄ／３のナイロン糸を用いて８０縫い目／ｍの縫い目の数で１列に縫って梱包用箱体を製造した。
【００１３】
この箱体を冷凍室と常温及び冷蔵室を１０回以上繰り返し移動しても箱体の変形や各部の接合部の損傷が発生しなかった。
【００１４】
〈実施例２〉
縫い糸をポリプロピレン４００Ｄ／３にし、縫い目の数を５０縫い目／ｍにして２列に縫う他は、実施例１と同様にして梱包用箱体を製造した。
【００１５】
実施例２でも温・湿度の変化にも変形しない美麗さに優れた箱体が得られた。
【００１６】
〈実施例３〉
縫い糸を１００Ｄ／３ナイロンを用いる他は、実施例１と同様にして梱包用箱体を製造した。
【００１７】
得られた箱体を４８時間放置してみた結果、縫い糸が箱体の紙に埋められて見えなくなり、箱体が堅固に保持されず、角部を引っ張ってみたところ、容易に破けてしまった。  
【産業上の利用可能性】
【００１８】
以上のように、この発明の梱包用箱体は、堅固で且つ美麗さに優れ、温・湿度の変化が激しい冷凍及び冷蔵用として使用しても箱体が展開せず、また内容物が散らばる恐れもなく、さらには金属製のスティプルをも使用しないため、錆びによる物品の損傷及び美麗さの低下、スクラッチによる商品の価値の低下をもたらさない梱包用箱体に適している。  
【図面の簡単な説明】
【００１９】
【図１】従来の梱包用箱体の角部を示す例示図である。
【図２】従来の梱包用箱体の角部を示す例示図である。
【図３】本発明にかかる梱包用箱体の角部を示す例示図である。
【図４】本発明にかかる梱包用箱体の一例を示す斜視図である。
【図５】図４のＡ部の拡大図である。
【符号の説明】
【００２０】
１…箱体
２…スティプル
３…接着剤層
４…縫い糸
５…縫い目
【図１】
2005047610.tif 000003
【図２】
2005047610.tif 000004
【図３】
2005047610.tif 000005
【図４】
2005047610.tif 000006
【図５】
2005047610.tif 000007